(57)【特許請求の範囲】
【請求項１】
内容物が収容されるとともに、上端開口部が第１シール材によって封止されたカップ本体と、
有頂筒状に形成されるとともに、その内部が添加剤の収容される収容室とされ、かつ下端開口部が第２シール材によって封止され、前記カップ本体の上方に配置された蓋体と、
前記第１シール材と前記第２シール材とを上下方向で対向させた状態で、前記カップ本体と前記蓋体とを接続する接続部材と、を備える蓋付カップ容器であって、
前記蓋体の下端には、カップ径方向の外側に向けて突出し、かつ全周にわたって連続して延びるフランジ部が形成され、
前記接続部材には、前記第１シール材と前記第２シール材との間を上下方向に仕切る仕切り板と、内側に前記フランジ部が挿入され、かつ前記フランジ部をカップ径方向の外側から囲繞する外筒部と、が備えられ、
前記接続部材および前記フランジ部のうちのいずれか一方には、いずれか他方に液密に当接し、かつ前記外筒部によりカップ径方向の外側から囲繞される内側シール部が、全周にわたって形成され、
前記内側シール部には、当該内側シール部と前記仕切り板の上面と前記第２シール材とで形成する内側空間に連通する第１連通孔が形成され、
前記蓋体と前記接続部材との間には、前記第１連通孔と、前記フランジ部及び前記外筒部のうちの少なくとも一方に形成された放出孔と、を連通する放出通路が形成され、
前記放出通路は、前記第１連通孔と前記放出孔とを迂回しながら連通していることを特徴とする蓋付カップ容器。
【請求項２】
前記接続部材および前記フランジ部のうちのいずれか一方には、いずれか他方に液密に当接し、かつ前記外筒部によりカップ径方向の外側から囲繞されるとともに前記内側シール部をカップ径方向の外側から囲繞する外側シール部が、全周にわたって形成され、
前記放出通路は、
前記内側シール部と前記外側シール部との間に形成され、前記第１連通孔に連通する内側環状溝と、
前記外側シール部と前記外筒部との間に形成され、前記放出孔に連通する外側環状溝と、
前記外側シール部に形成され、前記内側環状溝と前記外側環状溝とを連通する第２連通孔と、を備えていることを特徴とする請求項１に記載の蓋付カップ容器。
【請求項３】
前記第１連通孔、及び前記第２連通孔は、互いにカップ周方向に離れた位置に配置され、
前記接続部材は、前記外側シール部と前記内側シール部とを連結して前記内側環状溝をカップ周方向に分断する仕切り壁を備えることを特徴とする請求項２に記載の蓋付カップ容器。
【請求項４】
内容物が収容されるとともに、上端開口部が第１シール材によって封止されたカップ本体と、
有頂筒状に形成されるとともに、その内部が添加剤の収容される収容室とされ、かつ下端開口部が第２シール材によって封止され、前記カップ本体の上方に配置された蓋体と、
前記第１シール材と前記第２シール材とを上下方向で対向させた状態で、前記カップ本体と前記蓋体とを接続する接続部材と、を備える蓋付カップ容器であって、
前記蓋体の下端には、カップ径方向の外側に向けて突出し、かつ全周にわたって連続して延びるフランジ部が形成され、
前記接続部材には、前記第１シール材と前記第２シール材との間を上下方向に仕切る仕切り板と、内側に前記フランジ部が挿入され、かつ前記フランジ部をカップ径方向の外側から囲繞する外筒部と、が備えられ、
前記接続部材および前記フランジ部のうちのいずれか一方には、いずれか他方に液密に当接し、かつ前記外筒部によりカップ径方向の外側から囲繞される内側シール部が、全周にわたって形成され、
前記内側シール部には、当該内側シール部と前記仕切り板の上面と前記第２シール材とで形成する内側空間に連通する第１連通孔が形成され、
前記蓋体と前記接続部材との間には、前記第１連通孔と、前記フランジ部及び前記外筒部のうちの少なくとも一方に形成された放出孔と、を連通する放出通路が形成され、
前記第１連通孔、前記放出孔、及び前記放出通路のうちの少なくとも１つは、閉塞部材により開放可能に閉塞されていることを特徴とする蓋付カップ容器。
【請求項５】
内容物が収容されるとともに、上端開口部が第１シール材によって封止されたカップ本体と、
有頂筒状に形成されるとともに、その内部が添加剤の収容される収容室とされ、かつ下端開口部が第２シール材によって封止され、前記カップ本体の上方に配置された蓋体と、
前記第１シール材と前記第２シール材とを上下方向で対向させた状態で、前記カップ本体と前記蓋体とを接続する接続部材と、を備える蓋付カップ容器であって、
前記蓋体の下端には、カップ径方向の外側に向けて突出し、かつ全周にわたって連続して延びるフランジ部が形成され、
前記接続部材には、前記第１シール材と前記第２シール材との間を上下方向に仕切る仕切り板と、内側に前記フランジ部が挿入され、かつ前記フランジ部をカップ径方向の外側から囲繞する外筒部と、が備えられ、
前記接続部材および前記フランジ部のうちのいずれか一方には、いずれか他方に液密に当接し、かつ前記外筒部によりカップ径方向の外側から囲繞される内側シール部が、全周にわたって形成され、
前記内側シール部には、当該内側シール部と前記仕切り板の上面と前記第２シール材とで形成する内側空間に連通する第１連通孔が形成され、
前記蓋体と前記接続部材との間には、前記第１連通孔と、前記フランジ部及び前記外筒部のうちの少なくとも一方に形成された放出孔と、を連通する放出通路が形成され、
前記仕切り板の上面、及び前記放出通路のうちの少なくとも一方には、前記放出孔から進入した水を留めるトラップ部が設けられていることを特徴とする蓋付カップ容器。
【請求項６】
前記仕切り板には前記内側空間に連通する貫通孔が形成されており、
前記トラップ部として、前記仕切り板の上面において前記貫通孔が配置された孔部分を回避するように設けられ、前記孔部分よりも下方に向けて窪む凹部が備えられていることを特徴とする請求項５に記載の蓋付カップ容器。
【請求項７】
内容物が収容されるとともに、上端開口部が第１シール材によって封止されたカップ本体と、
有頂筒状に形成されるとともに、その内部が添加剤の収容される収容室とされ、かつ下端開口部が第２シール材によって封止され、前記カップ本体の上方に配置された蓋体と、
前記第１シール材と前記第２シール材とを上下方向で対向させた状態で、前記カップ本体と前記蓋体とを接続する接続部材と、を備える蓋付カップ容器であって、
前記蓋体の下端には、カップ径方向の外側に向けて突出し、かつ全周にわたって連続して延びるフランジ部が形成され、
前記接続部材には、前記第１シール材と前記第２シール材との間を上下方向に仕切る仕切り板と、内側に前記フランジ部が挿入され、かつ前記フランジ部をカップ径方向の外側から囲繞する外筒部と、が備えられ、
前記接続部材および前記フランジ部のうちのいずれか一方には、いずれか他方に液密に当接し、かつ前記外筒部によりカップ径方向の外側から囲繞される内側シール部が、全周にわたって形成され、
前記内側シール部には、当該内側シール部と前記仕切り板の上面と前記第２シール材とで形成する内側空間に連通する第１連通孔が形成され、
前記蓋体と前記接続部材との間には、前記第１連通孔と、前記フランジ部及び前記外筒部のうちの少なくとも一方に形成された放出孔と、を連通する放出通路が形成され、
前記カップ本体、及び前記接続部材のうちの少なくとも一方において、カップ周方向に沿って前記放出孔が配置された部分には、浮力体が設けられていることを特徴とする蓋付カップ容器。
【請求項８】
前記浮力体として、袋体に密封され、前記カップ本体の外周面に貼り付けられたストローを備えていることを特徴とする請求項７に記載の蓋付カップ容器。
【発明の詳細な説明】
【技術分野】
【０００１】
本発明は、蓋付カップ容器に関するものである。
【背景技術】
【０００２】
従来から、例えば下記特許文献１に示されるような、蓋体から取り外した副容器内の添加剤をカップ本体内に添加し、カップ本体内の内容物と添加剤とを混合させる蓋付カップ容器が知られている。また、下記特許文献２に示されるような、蓋体の内部に収容された添加剤を、蓋体をカップ本体から取り外すことなく、そのままの状態でカップ本体内の内容物と混合させる蓋付カップ容器も知られている。
【先行技術文献】
【特許文献】
【０００３】
【特許文献１】実公平０６−３４３１０号公報
【特許文献２】特許第５４２７９９９号公報
【発明の概要】
【発明が解決しようとする課題】
【０００４】
ここで、前記従来の蓋付カップ容器において、蓋体をカップ本体に装着したままの状態で添加剤を添加しようとする場合、置換効率を高めるために、添加剤の添加時にカップ本体内の空気を外部に放出する放出通路が必要になると考えられる。
しかしながら、このような放出通路を設けた場合、特許第４２６２５３３号公報の段落００２２に記載されているように、この蓋付カップ容器を水槽内に投入したときに、放出通路を通して蓋付カップ本体に水が進入するおそれがある。そしてこの水は、添加剤の添加時にカップ本体内に進入するおそれがある。
【０００５】
本発明は、前述した事情に鑑みてなされたものであって、置換効率を高めた場合においても、カップ本体内への水の進入を規制することを目的とする。
【課題を解決するための手段】
【０００６】
前記課題を解決するために、本発明は以下の手段を提案している。
本発明に係る蓋付カップ容器は、内容物が収容されるとともに、上端開口部が第１シール材によって封止されたカップ本体と、有頂筒状に形成されるとともに、その内部が添加剤の収容される収容室とされ、かつ下端開口部が第２シール材によって封止され、前記カップ本体の上方に配置された蓋体と、前記第１シール材と前記第２シール材とを上下方向で対向させた状態で、前記カップ本体と前記蓋体とを接続する接続部材と、を備える蓋付カップ容器であって、前記蓋体の下端には、カップ径方向の外側に向けて突出し、かつ全周にわたって連続して延びるフランジ部が形成され、前記接続部材には、前記第１シール材と前記第２シール材との間を上下方向に仕切る仕切り板と、内側に前記フランジ部が挿入され、かつ前記フランジ部をカップ径方向の外側から囲繞する外筒部と、が備えられ、前記接続部材および前記フランジ部のうちのいずれか一方には、いずれか他方に液密に当接し、かつ前記外筒部によりカップ径方向の外側から囲繞される内側シール部が、全周にわたって形成され、前記内側シール部には、当該内側シール部と前記仕切り板の上面と前記第２シール材とで形成する内側空間に連通する第１連通孔が形成され、前記蓋体と前記接続部材との間には、前記第１連通孔と、前記フランジ部及び前記外筒部のうちの少なくとも一方に形成された放出孔と、を連通する放出通路が形成され、前記放出通路は、前記第１連通孔と前記放出孔とを迂回しながら連通していることを特徴とする。
【０００７】
この発明によれば、例えば第２シール材、及び第１シール材を破断することにより、収容室内とカップ本体内とが連通し、収容室内の添加剤がカップ本体内に流入する。このとき、カップ本体内の気体を、内側空間、第１連通孔、放出通路、及び放出孔をこの順に通過させて外部に流出させることが可能になり、添加剤を効率よくカップ本体内に流入させることができる。
このように、カップ本体の開封、及び添加剤の添加を一連の操作で行うことが可能になり、優れた開封操作性を具備させることができる。
また放出通路が、第１連通孔と放出孔とを迂回しながら連通しているので、外部から内側空間に至る流路長を長く確保することができる。したがって、蓋付カップ容器が水槽内に投入された場合に、水が、放出孔を通して放出通路に進入しても、この水が、放出通路を通して第１連通孔に到達しにくくし、この第１連通孔から内側空間にまで到達しにくくすることができる。これにより、カップ本体の開封時にカップ本体内へ水が進入するのを規制することができる。
【０００８】
前記接続部材および前記フランジ部のうちのいずれか一方には、いずれか他方に液密に当接し、かつ前記外筒部によりカップ径方向の外側から囲繞されるとともに前記内側シール部をカップ径方向の外側から囲繞する外側シール部が、全周にわたって形成され、前記放出通路は、前記内側シール部と前記外側シール部との間に形成され、前記第１連通孔に連通する内側環状溝と、前記外側シール部と前記外筒部との間に形成され、前記放出孔に連通する外側環状溝と、前記外側シール部に形成され、前記内側環状溝と前記外側環状溝とを連通する第２連通孔と、を備えていてもよい。
【０００９】
この場合、接続部材またはフランジ部が、外側シール部、及び内側シール部を備えていて、接続部材と蓋体との間のシール部分がカップ径方向に２箇所配設されているので、内側空間の密封性を高めることができる。
また、放出通路が、内側環状溝、外側環状溝、及び第２連通孔を備えているので、放出通路の流路長を確実に長く確保することができる。
【００１０】
前記第１連通孔、及び前記第２連通孔は、互いにカップ周方向に離れた位置に配置され、前記接続部材は、前記外側シール部と前記内側シール部とを連結して前記内側環状溝をカップ周方向に分断する仕切り壁を備えてもよい。
【００１１】
この場合、第１連通孔、及び第２連通孔が、互いにカップ周方向に離れた位置に配置されるとともに、接続部材が、内側環状溝をカップ周方向に分断する仕切り壁を備えているので、蓋付カップ容器が水槽内に投入された場合に、水が、外側環状溝、及び第２連通孔をこの順に通過して内側環状溝内に進入したときに、カップ周方向の両側から第１連通孔に向けて流動しても、このうちの一方は仕切り壁により堰き止められ、他方のみが第１連通孔に到達することとなる。
これにより、第１連通孔に流入する外部からの水の流量を低く抑えることが可能になり、第１連通孔、及び第２連通孔が、互いにカップ周方向に離れた位置に配置されていて、外部から内側空間に至る流路長を長く確保することが可能になることと相俟って、水が、外側環状溝に進入しても、内側空間にまで到達しにくくすることができる。
【００１２】
本発明に係る蓋付カップ容器は、内容物が収容されるとともに、上端開口部が第１シール材によって封止されたカップ本体と、有頂筒状に形成されるとともに、その内部が添加剤の収容される収容室とされ、かつ下端開口部が第２シール材によって封止され、前記カップ本体の上方に配置された蓋体と、前記第１シール材と前記第２シール材とを上下方向で対向させた状態で、前記カップ本体と前記蓋体とを接続する接続部材と、を備える蓋付カップ容器であって、前記蓋体の下端には、カップ径方向の外側に向けて突出し、かつ全周にわたって連続して延びるフランジ部が形成され、前記接続部材には、前記第１シール材と前記第２シール材との間を上下方向に仕切る仕切り板と、内側に前記フランジ部が挿入され、かつ前記フランジ部をカップ径方向の外側から囲繞する外筒部と、が備えられ、前記接続部材および前記フランジ部のうちのいずれか一方には、いずれか他方に液密に当接し、かつ前記外筒部によりカップ径方向の外側から囲繞される内側シール部が、全周にわたって形成され、前記内側シール部には、当該内側シール部と前記仕切り板の上面と前記第２シール材とで形成する内側空間に連通する第１連通孔が形成され、前記蓋体と前記接続部材との間には、前記第１連通孔と、前記フランジ部及び前記外筒部のうちの少なくとも一方に形成された放出孔と、を連通する放出通路が形成され、前記第１連通孔、前記放出孔、及び前記放出通路のうちの少なくとも１つは、閉塞部材により開放可能に閉塞されていることを特徴とする。
【００１３】
この場合、第１連通孔、放出孔、及び放出通路のうちの少なくとも１つが、閉塞部材により閉塞されている。したがって、蓋付カップ容器が水槽内に投入された場合には、水が、放出孔、放出通路、及び第１連通孔を通して内側空間にまで到達することを、閉塞部材により規制することができる。
一方、収容室内の添加剤がカップ本体内に流入する際には、閉塞部材による閉塞を解除して、内側空間と外部とを、第１連通孔、放出通路、及び放出孔を通して連通することができる。したがって、カップ本体内の気体を、第１連通孔、放出通路、及び放出孔をこの順に通過させて外部に流出させることが可能になり、水をカップ本体内に進入させることなく、添加剤を効率よくカップ本体内に流入させることができる。
【００１４】
本発明に係る蓋付カップ容器は、内容物が収容されるとともに、上端開口部が第１シール材によって封止されたカップ本体と、有頂筒状に形成されるとともに、その内部が添加剤の収容される収容室とされ、かつ下端開口部が第２シール材によって封止され、前記カップ本体の上方に配置された蓋体と、前記第１シール材と前記第２シール材とを上下方向で対向させた状態で、前記カップ本体と前記蓋体とを接続する接続部材と、を備える蓋付カップ容器であって、前記蓋体の下端には、カップ径方向の外側に向けて突出し、かつ全周にわたって連続して延びるフランジ部が形成され、前記接続部材には、前記第１シール材と前記第２シール材との間を上下方向に仕切る仕切り板と、内側に前記フランジ部が挿入され、かつ前記フランジ部をカップ径方向の外側から囲繞する外筒部と、が備えられ、前記接続部材および前記フランジ部のうちのいずれか一方には、いずれか他方に液密に当接し、かつ前記外筒部によりカップ径方向の外側から囲繞される内側シール部が、全周にわたって形成され、前記内側シール部には、当該内側シール部と前記仕切り板の上面と前記第２シール材とで形成する内側空間に連通する第１連通孔が形成され、前記蓋体と前記接続部材との間には、前記第１連通孔と、前記フランジ部及び前記外筒部のうちの少なくとも一方に形成された放出孔と、を連通する放出通路が形成され、前記仕切り板の上面、及び前記放出通路のうちの少なくとも一方には、前記放出孔から進入した水を留めるトラップ部が設けられていることを特徴とする。
【００１５】
この場合、仕切り板の上面、及び放出通路のうちの少なくとも一方に、トラップ部が設けられている。したがって、蓋付カップ容器が水槽内に投入され、水が、放出孔から放出通路内に流入した場合であっても、この水を、仕切り板の上面や放出通路において、トラップ部に留めることができる。これにより、カップ本体の開封時にカップ本体内へ水が進入するのを規制することができる。
【００１６】
前記仕切り板には前記内側空間に連通する貫通孔が形成されており、前記トラップ部として、前記仕切り板の上面において前記貫通孔が配置された孔部分を回避するように設けられ、前記孔部分よりも下方に向けて窪む凹部が備えられていてもよい。
【００１７】
この場合、トラップ部として凹部が備えられているので、放出孔から放出通路内に流入した水が、第１連通孔を通して内側空間にまで到達したとしても、この水を、仕切り板の上面において凹部に貯留することができる。
【００１８】
本発明に係る蓋付カップ容器は、内容物が収容されるとともに、上端開口部が第１シール材によって封止されたカップ本体と、有頂筒状に形成されるとともに、その内部が添加剤の収容される収容室とされ、かつ下端開口部が第２シール材によって封止され、前記カップ本体の上方に配置された蓋体と、前記第１シール材と前記第２シール材とを上下方向で対向させた状態で、前記カップ本体と前記蓋体とを接続する接続部材と、を備える蓋付カップ容器であって、前記蓋体の下端には、カップ径方向の外側に向けて突出し、かつ全周にわたって連続して延びるフランジ部が形成され、前記接続部材には、前記第１シール材と前記第２シール材との間を上下方向に仕切る仕切り板と、内側に前記フランジ部が挿入され、かつ前記フランジ部をカップ径方向の外側から囲繞する外筒部と、が備えられ、前記接続部材および前記フランジ部のうちのいずれか一方には、いずれか他方に液密に当接し、かつ前記外筒部によりカップ径方向の外側から囲繞される内側シール部が、全周にわたって形成され、前記内側シール部には、当該内側シール部と前記仕切り板の上面と前記第２シール材とで形成する内側空間に連通する第１連通孔が形成され、前記蓋体と前記接続部材との間には、前記第１連通孔と、前記フランジ部及び前記外筒部のうちの少なくとも一方に形成された放出孔と、を連通する放出通路が形成され、前記カップ本体、及び前記接続部材のうちの少なくとも一方において、カップ周方向に沿って前記放出孔が配置された部分には、浮力体が設けられていることを特徴とする。
【００１９】
この場合、カップ本体、及び接続部材のうちの少なくとも一方において、カップ周方向に沿って放出孔が配置された部分に、浮力体が設けられている。したがって、蓋付カップ容器が水槽内に投入された場合に、蓋付カップ容器におけるカップ周方向に沿う部分のうち、放出孔が配置された部分に、他の部分と比べて大きな浮力を生じさせることが可能になり、放出孔を水面より上方に位置させやすくなり、水を、放出孔を通して放出通路内に進入させにくくすることができる。これにより、カップ本体の開封時にカップ本体内へ水が進入するのを規制することができる。
【００２０】
前記浮力体として、袋体に密封され、前記カップ本体の外周面に貼り付けられたストローを備えていてもよい。
【００２１】
この場合、浮力体として、袋体に密封されたストローが備えらえているので、このストローにより、例えば第２シール材、第１シール材を破断することで、カップ本体の開封、及び添加剤の添加を行うことができる。
【発明の効果】
【００２２】
本発明によれば、カップ本体内への水の進入を規制することができる。
【図面の簡単な説明】
【００２３】
【図１】本発明に係る第１実施形態として示した蓋付カップ容器の縦断面図である。
【図２】図１に示す蓋付カップ容器の上面図である。
【図３】図１及び図２に示す蓋付カップ容器の接続部材の上面図である。
【図４】図１〜図３に示す蓋付カップ容器が水中に投入された状態を示す説明図である。
【図５】本発明に係る第２実施形態として示した蓋付カップ容器の縦断面図である。
【図６】図５に示す蓋付カップ容器の接続部材の上面図である。
【図７】本発明に係る第２実施形態の変形例として示した蓋付カップ容器の縦断面図である。
【図８】図７に示す蓋付カップ容器の接続部材の上面図である。
【図９】本発明に係る変形例として示した蓋付カップ容器を構成する閉塞部材を含む要部の断面図である。
【図１０】図９に示す蓋付カップ容器を傾斜姿勢とした状態を示す断面図である。
【発明を実施するための形態】
【００２４】
（第１実施形態）
以下、図面を参照し、本発明の第１実施形態に係る蓋付カップ容器１について説明する。
本実施形態の蓋付カップ容器１は、図１から図４に示されるように、内容物が収容されるカップ本体１１と、カップ本体１１を覆う蓋体１２と、カップ本体１１と蓋体１２とを接続する接続部材３１と、を備えている。カップ本体１１は有底筒状に形成され、蓋体１２は有頂筒状に形成され、接続部材３１は筒状に形成されている。
カップ本体１１、蓋体１２、及び接続部材３１それぞれの中心軸線は、共通軸と同軸に配置されている。以下、この共通軸を容器軸Ｏといい、容器軸Ｏ方向に沿う蓋体１２の頂壁部１７側を上側、カップ本体１１の底部側を下側といい、容器軸Ｏに沿う方向を上下方向という。また、容器軸Ｏ方向から見た平面視において、容器軸Ｏに直交する方向をカップ径方向といい、容器軸Ｏ回りに周回する方向をカップ周方向という。
【００２５】
カップ本体１１の上端には、カップ径方向の外側に向けて突出し、かつ全周にわたって連続して延びるフランジ部１１ｂが形成されている。このフランジ部１１ｂに第１シール材１３が固着されることによって、カップ本体１１の上端開口部１１ｃが封止されている。
【００２６】
蓋体１２は、カップ本体１１の上方に配置され、第１シール材１３を上方から覆っている。蓋体１２の内部が添加剤の収容される収容室１５となっている。蓋体１２の下端には、カップ径方向の外側に向けて突出し、かつ全周にわたって連続して延びるフランジ部１２ａが形成されている。このフランジ部１２ａに第２シール材１６が固着されることによって、蓋体１２の下端開口部１２ｂが封止されている。
なお、蓋体１２の周壁部１４には、カップ径方向の内側に向けて突出する支持突起１２ｃが、カップ周方向に間隔をあけて複数形成されている。この支持突起１２ｃは、蓋体１２内に、他の蓋体１２が頂壁部１７側から挿入された状態で、他の蓋体１２の頂壁部１７の外周縁部１７ａを支持する。これにより、両蓋体１２の密接を防止し、複数積み重ねられた蓋体１２を個別に容易に取り出すことができる。
【００２７】
蓋体１２の頂壁部１７には、ストロー３０が挿通される挿通孔１８が形成されている。挿通孔１８は、収容室１５を介して第２シール材１６に向けて開口している。蓋体１２の頂壁部１７のうち、外周縁部１７ａは、外周縁部１７ａよりカップ径方向の内側に位置する内側部分１７ｂに対して上方に突出している。挿通孔１８は、頂壁部１７の内側部分１７ｂに形成されている。なお、挿通孔１８の上面視形状は円形状となっている。
【００２８】
接続部材３１は、第１シール材１３と第２シール材１６とを上下方向で対向させた状態で、カップ本体１１と蓋体１２とを接続している。
接続部材３１は、カップ本体１１及び蓋体１２それぞれのフランジ部１１ｂ、１２ａが挿入される外筒部３２と、外筒部３２の内側に配設され、第１シール材１３と第２シール材１６との間を上下方向に仕切る仕切り板３３と、外筒部３２と仕切り板３３とを連結する環状の連結部３４と、を備えている。
外筒部３２には、カップ本体１１のフランジ部１１ｂを、このフランジ部１１ｂの下側から支持する下側支持突部３２ａと、蓋体１２のフランジ部１２ａを、このフランジ部１２ａの上側から支持する上側支持突部３２ｂと、が形成されている。下側支持突部３２ａ及び上側支持突部３２ｂはそれぞれ、全周にわたって連続して延在している。
【００２９】
連結部３４は、カップ本体１１及び蓋体１２の各フランジ部１１ｂ、１２ａ同士の間に位置している。
連結部３４には、カップ本体１１のフランジ部１１ｂの上面に液密に当接する下側シール突部３５が形成されている。下側シール突部３５は、全周にわたって連続して延びる突条状に形成されている。下側シール突部３５は、カップ本体１１のフランジ部１１ｂを、下方に向けて付勢して下側支持突部３２ａに圧接させている。
【００３０】
仕切り板３３の外周部には、蓋体１２の頂壁部１７に形成された、ストロー３０の挿通孔１８と第２シール材１６を介して対向する貫通孔２３が形成されている。貫通孔２３は、図３に示されるように、仕切り板３３の上面視で容器軸Ｏから離れている。
貫通孔２３内には、下方に向けて尖る切刃２４ａを有する切刃部２４と、切刃部２４をカップ周方向に挟む両側に配置されるとともに、下面が平滑面とされた誘導部２５と、が配設されている。
【００３１】
切刃部２４は、カップ径方向の内側から外側に向かうに従い漸次カップ周方向の幅が狭くなり、かつそのカップ径方向の内側の端部が第１ヒンジ部２６を介して仕切り板３３に連結されている。誘導部２５は、カップ径方向の外側から内側に向かうに従い漸次カップ周方向の幅が狭くなり、かつそのカップ径方向の外側の端部が第２ヒンジ部２７を介して仕切り板３３に連結されている。
第１ヒンジ部２６は、貫通孔２３の内周縁のうち、カップ径方向の内側の端部に位置しカップ径方向の外側を向く内端縁に連結されている。第２ヒンジ部２７は、貫通孔２３の内周縁のうち、カップ径方向の外側の端部に位置しカップ径方向の内側を向く外端縁に連結されている。
【００３２】
切刃部２４は、仕切り板３３の上面視において、第１ヒンジ部２６に連結された１つの底辺部と、残り２つの斜辺部２４ｂと、により画成された三角形状を呈し、２つの斜辺部２４ｂの長さが互いに同等になっている。誘導部２５も、仕切り板３３の上面視において、切刃部２４と同様の三角形状を呈しており、２つの斜辺部２５ａ、２５ｂのうち、切刃部２４側に位置する内斜辺部２５ａの長さが、切刃部２４の反対側に位置する外斜辺部２５ｂの長さより長くなっている。なお、仕切り板３３の上面視において、誘導部２５の内斜辺部２５ａと、この内斜辺部２５ａに隣接する切刃部２４の斜辺部２４ｂと、は互いに平行となっている。
【００３３】
切刃部２４及び誘導部２５はそれぞれ板状に形成され、切刃部２４の平面積が、誘導部２５の平面積より大きくなっている。切刃部２４及び誘導部２５それぞれの上面は、仕切り板３３の上面と面一となっている。
切刃２４ａは、切刃部２４の下面における外周縁部のうち、カップ径方向の外側の端部に位置する部分に１つ形成されるとともに、２つの斜辺部２４ｂが位置する部分に、その延在方向に複数連ねられて形成されている。
【００３４】
切刃部２４におけるカップ径方向の外側の端部と、貫通孔２３の内周縁における前記外端縁と、の間には、カップ径方向の隙間が設けられている。なお、この隙間は、ストロー３０の外径より小さくなっている。
そして、貫通孔２３の内周縁において、カップ周方向で互いに隣り合う第２ヒンジ部２７同士の間に位置し、かつ切刃部２４におけるカップ径方向の外側の端部（第１ヒンジ部２６の反対側の端部）と対向する部分には、カップ径方向の内側に向けて突出する案内突起２８が形成されている。図示の例では、案内突起２８は、上方から下方に向かうに従い漸次、カップ径方向の内側に向けて大きく突出している。また、案内突起２８は、貫通孔２３の内周縁のうちの前記外端縁におけるカップ周方向の中央部に配置されている。
なお、案内突起２８の縦断面視形状は例えば半円形状にする等適宜変更してもよい。
【００３５】
仕切り板３３の下面には、第１補強突リブ３３ａ、及び第２補強突リブ３３ｂが形成されている。第１、第２補強突リブ３３ａ、３３ｂは、仕切り板３３において、貫通孔２３を回避した部分に形成されている。
第１補強突リブ３３ａは、仕切り板３３の平面視において、第１ヒンジ部２６、及び切刃部２４の前記底辺部が延びる方向に沿って延在し、この延在方向に直交する直交方向に間隔をあけて複数配置されている。
第２補強突リブ３３ｂは、前記直交方向に延び、前記延在方向に間隔をあけて複数配置されている。第２補強突リブ３３ｂは、複数の第１補強突リブ３３ａのうち、第１ヒンジ部２６、及び切刃部２４の前記底辺部から最も離れて位置する第１補強突リブ３３ａから、これらの第１ヒンジ部２６等の反対側に向けて延在し、仕切り板３３の外周縁に至っている。
【００３６】
第１、第２補強突リブ３３ａ、３３ｂそれぞれの厚さ及び高さは互いに同等になっている。
また、切刃部２４の下面に、第３補強突リブ２４ｄが形成されている。第３補強突リブ２４ｄは、前記直交方向に延び、前記延在方向に間隔をあけて複数配置されている。
第３補強突リブ２４ｄは、第１、第２補強突リブ３３ａ、３３ｂと比べて厚さが厚く、かつ高さが低くなっている。
【００３７】
ここで、挿通孔１８は、図１及び図２に示されるように、蓋体１２の頂壁部１７における外周部に形成されていて、頂壁部１７における挿通孔１８の開口周縁部のうち、カップ径方向の外側に位置する部分に、頂壁部１７の上面視でカップ径方向の内側に向けて開口する形状を呈する規制壁部２９が下方に向けて突設されている。なお、規制壁部２９の前記上面視形状は、例えばＣ字状、Ｕ字状、若しくはコ字状にする等適宜変更してもよい。
規制壁部２９は、挿通孔１８に挿し込まれたストロー３０の先端部が摺接することで、ストロー３０の先端部が切刃部２４に対してカップ径方向の外側に外れるのを規制している。図示の例では、規制壁部２９は、頂壁部１７の上面視で、挿通孔１８の開口周縁部の半周程度となっているが、これに限定されない。
【００３８】
そして本実施形態では、接続部材３１の連結部３４に、図１及び図３に示されるように、蓋体１２のフランジ部１２ａの下面に液密に当接し、かつ外筒部３２によりカップ径方向の外側から囲繞される外側シール部５１と、フランジ部１２ａの下面に液密に当接し、かつ外側シール部５１によりカップ径方向の外側から囲繞される内側シール部５２と、がそれぞれ全周にわたって形成されている。
外側シール部５１及び内側シール部５２はそれぞれ、筒状に形成されるとともに、容器軸Ｏと同軸に配設されている。外側シール部５１及び内側シール部５２それぞれの上端縁の容器軸Ｏ方向に沿う位置は互いに同等になっていて、第２シール材１６を介してフランジ部１２ａに当接している。外側シール部５１及び内側シール部５２それぞれの上端縁は、第２シール材１６との間を通した液体の流通を規制できる程度、十分厚肉に形成されている。なお外側シール部５１及び内側シール部５２それぞれの上端縁は、接着剤やヒートシール、超音波溶着などにより、第２シール材１６に固着されていてもよい。
内側シール部５２の内周面に、仕切り板３３の外周縁が連結されている。仕切り板３３の上面は、内側シール部５２の上端縁から下方に離れている。内側シール部５２は、仕切り板３３の上面と第２シール材１６との間に内側空間５８を形成している。内側空間５８には、仕切り板３３の前記貫通孔２３が連通している。
【００３９】
外側シール部５１は、内側シール部５２からカップ径方向の外側に離れており、外側シール部５１及び内側シール部５２それぞれの下端縁同士が、全周にわたって連続して延びる環状の内側底板５３を介して連結されている。これらの外側シール部５１、内側シール部５２、及び内側底板５３により、カップ周方向に延びる内側環状溝５５が画成されている。なお、内側底板５３の下面に、下側シール突部３５が形成されている。
【００４０】
外側シール部５１は、外筒部３２の内周面に、全周にわたって連続して延びる環状の外側底板５４を介して連結されている。外側底板５４の上面は、外側シール部５１及び外筒部３２それぞれの上端縁より下方に位置している。外側底板５４及び仕切り板３３それぞれの上面の容器軸Ｏ方向に沿う位置は互いに同等になっている。外側シール部５１の上端縁は、外筒部３２の上端縁より下方に位置している。外筒部３２のうち外側底板５４より上方に位置する部分、外側シール部５１のうち外側底板５４より上方に位置する部分、及び外側底板５４により、カップ周方向に延びる外側環状溝５６が画成されている。
外側環状溝５６の深さは、内側環状溝５５の深さより浅くなっている。また、外側環状溝５６の溝幅は、内側環状溝５５の溝幅より広くなっている。なお、外側環状溝５６及び内側環状溝５５の深さ、及び溝幅の大小関係は適宜変更してもよい。
【００４１】
ここで、内側シール部５２には、内側空間５８と内側環状溝５５とを連通する第１連通孔６０が形成され、外側シール部５１には、内側環状溝５５と外側環状溝５６とを連通する第２連通孔５９が形成されている。第１連通孔６０、及び第２連通孔５９は、互いにカップ周方向に離れた位置に配置されている。図示の例では、第１連通孔６０、及び第２連通孔５９は、容器軸Ｏ回りに１８０°互いに離れた位置に配置されている。
なお、第１連通孔６０は、内側シール部５２のうち仕切り板３３より上方に位置する部分における容器軸Ｏ方向の全長にわたって形成され、第２連通孔５９は、外側シール部５１のうち外側底板５４より上方に位置する部分における容器軸Ｏ方向の全長にわたって形成されている。
【００４２】
フランジ部１２ａは、図１及び図２に示されるように、外側環状溝５６を上方から閉塞している。図示の例では、フランジ部１２ａは、内側環状溝５５も上方から閉塞している。フランジ部１２ａには、外側環状溝５６と外部とを連通する放出孔６２が形成されている。放出孔６２は、容器軸Ｏ方向に貫通し、かつカップ径方向の外側に向けて開口している。なお放出孔６２を、外筒部３２に設けてもよい。この場合、例えば放出孔６２を、外筒部３２の内周面に溝状に形成すること等が可能である。
【００４３】
ここで、前述の内側環状溝５５、外側環状溝５６、及び第２連通孔５９は、第１連通孔６０と放出孔６２とを連通する放出通路６３を構成している。放出通路６３は、蓋体１２と接続部材３１との間、図示の例では、フランジ部１２ａと連結部３４との間に形成されている。放出通路６３は、図３に示されるように、第１連通孔６０と放出孔６２とを迂回しながら連通している。図示の例では、第１連通孔６０、及び第２連通孔５９は、放出孔６２に対して容器軸Ｏ回りに９０°離れた各位置に配置されていて、放出通路６３は、第１連通孔６０と放出孔６２とを、周方向に迂回しながら連通している。
【００４４】
また、接続部材３１は、外側シール部５１と内側シール部５２とを連結して内側環状溝５５をカップ周方向に分断する内側仕切り壁（仕切り壁）６１を備えている。内側仕切り壁６１は、容器軸Ｏ方向から見た接続部材３１の平面視において、容器軸Ｏ回りに沿って放出孔６２に対して第１連通孔６０側に離れて配置されている。図示の例では、内側仕切り壁６１は、容器軸Ｏ方向から見た接続部材３１の平面視において、容器軸Ｏ回りに放出孔６２に対して第１連通孔６０側に４５°離れて配置されている。内側仕切り壁６１は、内側底板５３から上方に向けて延在し、その上端縁は、外側シール部５１及び内側シール部５２それぞれの上端縁の容器軸Ｏ方向に沿う位置と同等になっている。
【００４５】
図示の例では、接続部材３１に、外側環状溝５６をカップ周方向に分断する外側仕切り壁５７が備えられている。外側仕切り壁５７は、外筒部３２の内周面、外側底板５４及び外側シール部５１の外周面に一体に連結されている。外側仕切り壁５７は、外側シール部５１のうち外側底板５４より上方に位置する部分における容器軸Ｏ方向の全長にわたって配設されている。図示の例では、外側仕切り壁５７は、外筒部３２のうち、外側底板５４より上方に位置する部分における容器軸Ｏ方向の全長にわたって配設されている。
【００４６】
図２に示されるように、放出孔６２内に外側仕切り壁５７が配設されている。外側仕切り壁５７は、放出孔６２よりカップ周方向の長さが短くなっており、外側環状溝５６が放出孔６２を通して上方に開放されている。
さらに本実施形態では、カップ本体１１、及び接続部材３１のうちの少なくとも一方において、カップ周方向に沿って放出孔６２が配置された部分には、浮力体６７が設けられている。図示の例では、浮力体６７として、袋体６６に密封され、カップ本体１１の外周面に貼り付けられたストロー３０を備えている。なお、ストロー３０は、カップ本体１１の外周面に、容器軸Ｏ方向に延在した状態で貼着されている。ストロー３０は、カップ本体１１において、接続部材３１に下側から隣接する部分から下側に向けて延びている。
また図示の例では、蓋付カップ容器１は、閉塞部材６４を備えている。閉塞部材６４は、第１連通孔６０、放出孔６２、及び放出通路６３のうちの少なくとも１つを開放可能に閉塞している。閉塞部材６４は、蓋体１２、及び接続部材３１を一体に覆うシュリンクフィルムにより構成されていて、放出孔６２を外部から閉塞している。
【００４７】
この蓋付カップ容器１では、放出孔６２が、閉塞部材６４により閉塞されている。したがって、図４に示されるように、蓋付カップ容器１が水槽内に投入された場合には、水が、放出孔６２、放出通路６３、及び第１連通孔６０を通して内側空間５８にまで到達することを、閉塞部材６４により規制することができる。
【００４８】
一方、この蓋付カップ容器１において、収容室１５内の添加剤をカップ本体１１内に流入させるときには、閉塞部材６４による放出孔６２の閉塞を解除して、内側空間５８と外部とを、放出孔６２、放出通路６３、及び第１連通孔６０を通して連通する。その後、ストロー３０を挿通孔１８から挿し込むと、ストロー３０の先端部によりまず第２シール材１６が破断され、次に、ストロー３０の先端部が切刃部２４を下方に向けて押し込むことで、切刃部２４が第１ヒンジ部２６回りに下方に向けて回動し、切刃２４ａが第１シール材１３を破断する。これにより、収容室１５内とカップ本体１１内とが連通し、収容室１５内の添加剤がカップ本体１１内に流入する。このとき、カップ本体１１内の気体を、第１連通孔６０、放出通路６３、及び放出孔６２をこの順に通過させて外部に流出させることが可能になり、添加剤を効率よくカップ本体１１内に流入させることができる。
【００４９】
以上説明したように、本実施形態による蓋付カップ容器１によれば、ストロー３０を挿通孔１８に挿し込む操作だけで、カップ本体１１の開封、及び添加剤の添加を双方ともに行うことが可能になり、優れた開封操作性を具備させることができる。
【００５０】
また放出通路６３が、第１連通孔６０と放出孔６２とを迂回しながら連通しているので、外部から内側空間５８に至る流路長を長く確保することができる。したがって、図４に示されるように、蓋付カップ容器１が水槽内に投入された場合に、例えば、予め閉塞部材６４が除去されていて、仮に水が、放出孔６２を通して放出通路６３に進入したとしても、この水が、放出通路６３を通して第１連通孔６０に到達しにくくし、この第１連通孔６０から内側空間５８にまで到達しにくくすることができる。これにより、カップ本体１１の開封時にカップ本体１１内へ水が進入するのを規制することができる。
【００５１】
また接続部材３１が、蓋体１２のフランジ部１２ａの下面に液密に当接する外側シール部５１、及び内側シール部５２を備えていて、接続部材３１と蓋体１２との間のシール部分がカップ径方向に２箇所配設されているので、内側空間５８の密封性を高めることができる。
また、放出通路６３が、内側環状溝５５、外側環状溝５６、及び第２連通孔５９を備えているので、放出通路６３の流路長を確実に長く確保することができる。
【００５２】
また、第１連通孔６０、及び第２連通孔５９が、互いにカップ周方向に離れた位置に配置されるとともに、接続部材３１が、内側環状溝５５をカップ周方向に分断する内側仕切り壁６１を備えているので、図４に示されるように、蓋付カップ容器１が水槽内に投入された場合に、水が、外側環状溝５６、及び第２連通孔５９をこの順に通過して内側環状溝５５内に進入したときに、カップ周方向の両側から第１連通孔６０に向けて流動しても、このうちの一方は内側仕切り壁６１により堰き止められ、他方のみが第１連通孔６０に到達することとなる。
これにより、第１連通孔６０に流入する外部からの水の流量を低く抑えることが可能になり、第１連通孔６０、及び第２連通孔５９が、互いにカップ周方向に離れた位置に配置されていて、外部から内側空間５８に至る流路長を長く確保することが可能になることと相俟って、水が、外側環状溝５６に進入しても、内側空間５８にまで到達しにくくすることができる。
【００５３】
また、カップ本体１１において、カップ周方向に沿って放出孔６２が配置された部分に、浮力体６７としてのストロー３０が設けられている。したがって、図４に示されるように、蓋付カップ容器１が水槽内に投入された場合に、蓋付カップ容器１におけるカップ周方向に沿う部分のうち、ストロー３０の配設された部分に、他の部分と比べて大きな浮力を生じさせることが可能になり、放出孔６２を水面Ｆより上方に位置させやすくなり、水を、放出孔６２を通して放出通路６３内に進入させにくくすることができる。
【００５４】
ところで前述のように、ストロー３０を挿通孔１８から挿し込むことによる開封の過程において、挿通孔１８に挿し込まれ第２シール材１６を破断したストロー３０の先端部が、切刃部２４からカップ周方向の外側に外れ誘導部２５に到達しても、誘導部２５が第２ヒンジ部２７回りに下方に向けて回動することで、ストロー３０の先端部を切刃部２４上に導くことが可能になり、切刃部２４の切刃２４ａにより第１シール材１３を確実に破断することができる。
また、誘導部２５の下面が平滑面とされていて、誘導部２５に切刃が形成されていないので、誘導部２５がストロー３０によって押し込まれても、第１シール材１３が誘導部２５によって破断されにくくなる。
さらに、切刃部２４が、カップ径方向の内側から外側に向かうに従い漸次カップ周方向の幅が狭くなり、かつそのカップ径方向の内側の端部が第１ヒンジ部２６を介して仕切り板３３に連結される一方、誘導部２５が、カップ径方向の外側から内側に向かうに従い漸次カップ周方向の幅が狭くなり、かつそのカップ径方向の外側の端部が第２ヒンジ部２７を介して仕切り板３３に連結されているので、切刃部２４からカップ周方向の外側に外れて誘導部２５に到達したストロー３０を、切刃部２４上に導きやすくなり、切刃部２４の切刃２４ａにより第１シール材１３を確実に破断することができる。
【００５５】
また、挿通孔１８に挿し込まれ第２シール材１６を破断したストロー３０の先端部が、切刃部２４からカップ径方向の外側に外れても、案内突起２８上を摺動させることにより、ストロー３０の先端部を切刃部２４上に導くことが可能になり、切刃部２４の切刃２４ａにより第１シール材１３を確実に破断することができる。
【００５６】
また、挿通孔１８に挿し込まれたストロー３０の先端部が、切刃部２４に対してカップ径方向の外側に外れようとしても、規制壁部２９に摺接することにより、ストロー３０の先端部を切刃部２４上に導くことが可能になり、切刃部２４の切刃２４ａにより第１シール材１３を確実に破断することができる。
【００５７】
また、誘導部２５を画成する２つの斜辺部２５ａ、２５ｂのうち、内斜辺部２５ａの長さが外斜辺部２５ｂの長さより長くなっているので、挿通孔１８に挿し込まれ第２シール材１６を破断したストロー３０の先端部が、切刃部２４からカップ周方向の外側に外れ誘導部２５に到達したときに、ストロー３０の先端部を切刃部２４上により一層確実に導くことができる。
【００５８】
（第２実施形態）
次に、本発明の第２実施形態に係る蓋付カップ容器２を、図５および図６を参照して説明する。
なお、この第２実施形態においては、第１実施形態における構成要素と同一の部分については同一の符号を付し、その説明を省略し、異なる点についてのみ説明する。
【００５９】
本実施形態の蓋付カップ容器２では、図５および図６に示されるように、仕切り板３３の上面、及び放出通路６３のうちの少なくとも一方には、放出孔６２から進入した水を留めるトラップ部７０が設けられている。図示の例では、トラップ部７０として、仕切り板３３の上面において貫通孔２３が配置された孔部分を回避するように設けられ、前記孔部分よりも下方に向けて窪む凹部７１が備えられている。凹部７１は、仕切り板３３において内側空間５８を形成する部分に配置され、凹部７１内は、内側空間５８に連通している。凹部７１は、仕切り板３３の上面視でＣ字状に形成されている。凹部７１は、前記上面視で第１連通孔６０と径方向に連なって配置されている。
【００６０】
以上説明したように、本実施形態による蓋付カップ容器２によれば、仕切り板３３の上面に、トラップ部７０が設けられている。したがって、蓋付カップ容器２が水槽内に投入され、水が、放出孔６２から放出通路６３内に流入した場合であっても、この水を、仕切り板３３の上面において、トラップ部７０に留めることができる。これにより、カップ本体１１の開封時にカップ本体１１内へ水が進入するのを規制することができる。
また、トラップ部７０として凹部７１が備えられているので、放出孔６２から放出通路６３内に流入した水が、第１連通孔６０を通して内側空間５８にまで到達したとしても、この水を、仕切り板３３の上面において凹部７１に貯留することができる。
【００６１】
なお図７および図８に示す蓋付カップ容器３のように、凹部７１が、区画壁７２により複数に区画されていてもよい。区画壁７２の下端は、凹部７１の底面に連結され、区画壁７２の上端は、第２シール材１６に当接している。なお区画壁７２の上端は、第２シール材１６に当接していなくてもよい。
またトラップ部７０を、放出通路６３に設けてもよい。トラップ部７０としては、例えば、放出通路６３のうち、流路長方向に沿った一部分において流路断面積が大きくなる大径部を採用することができる。前記大径部としては、放出通路６３のうち、流路長方向に沿った一部分が下方に向けて窪む窪み部や、放出通路６３のうち、流路長方向に沿った一部分において流路幅が大きくなる拡幅部などが挙げられる。またトラップ部７０として、放出通路６３内に、通気性を具備しつつ吸水時に膨張する吸水性ポリマーを配置してもよい。なおこのように、トラップ部７０を放出通路６３に設ける場合、トラップ部７０は、浮力体６７からカップ周方向に１８０度離れた位置に設けることが好ましい。また、放出通路６３における毛細管現象の防止を図るべく、放出通路６３にトラップ部７０を複数設けてもよい。
ここでトラップ部７０として、前記大径部を採用した場合、例えば、放出通路６３のうち、放出孔６２に連なる部分に大径部を設け、この大径部の流路断面積を、放出孔６２から離間するに従い、漸次大きくすることが可能である。これにより、放出孔６２の開口面積を、気体が通過可能でかつ水が実質的に進入不能な程度に小さくすることが可能になり、放出通路６３内への水の進入を効果的に抑えることができる。この場合、放出孔６２の内周面に撥水加工を施したり、前記大径部に親水加工を施したりすることで、水の進入をより効果的に抑えることも可能である。なおトラップ部７０を設けることなく、放出孔６２の開口面積を小さくすることも可能である。また、放出孔６２の開口面積を小さくすることに代えて、放出孔６２にフィルターを設けることで、放出孔６２を、気体が通過可能でかつ水が実質的に進入不能に形成してもよい。
【００６２】
本発明は上記した実施の形態に限定されるものではなく、その趣旨を逸脱しない範囲で適宜変更可能である。
【００６３】
例えば前記実施形態では、第１連通孔６０、及び第２連通孔５９を、互いにカップ周方向に離れた位置に配置したが、カップ周方向に沿う同じ位置に配置してもよく、また、接続部材３１が外側仕切り壁５７及び内側仕切り壁６１を備える構成を示したが、これら５７、６１を備えさせてなくてもよい。
【００６４】
また前記実施形態では、閉塞部材６４が、蓋体１２、及び接続部材３１を一体に覆っているが、本発明はこれに限られない。例えば、放出孔６２を限定して覆うタックシールなどを採用することも可能である。また閉塞部材６４として、シュリンクフィルムに代えて有頂筒状のオーバーキャップを採用することも可能である。さらに閉塞部材６４として、放出孔６２の開口周縁部に弱化部を介して連結される栓体や、放出孔６２に離脱可能に嵌合されるピン部材などを採用することも可能である。なお閉塞部材６４として、有頂筒状のオーバーキャップを採用した場合、このオーバーキャップをカップ周方向に回転可能に設け、オーバーキャップの回転に伴って放出孔６２を開閉させる構成を採用することも可能である。
【００６５】
また前記実施形態では、閉塞部材６４が放出孔６２を開放可能に閉塞しているが、本発明はこれに限られない。閉塞部材６４が第１連通孔６０や放出通路６３を閉塞する構成を採用することもできる。
例えば図９および図１０に示されるように、閉塞部材６４として、放出通路６３内に、自重により移動自在に配置されたボール弁６８を採用してもよい。この構成では、放出通路６３の内周面に配置凹部６９が設けられている。ボール弁６８は、図１に示されるような蓋付カップ容器１の正立姿勢の状態において、図９に示されるように、放出通路６３を開放しつつ配置凹部６９内に配置されている。そしてボール弁６８は、図４に示されるような蓋付カップ容器１の傾斜姿勢の状態において、図１０に示されるように、自重により移動して配置凹部６９から離脱し、放出通路６３内に液密に嵌合することで放出通路６３を閉塞する。
【００６６】
また、前記実施形態の蓋付カップ容器１、２、３において、浮力体６７に合わせて重量体を設けてもよい。この場合、浮力体６７としてのストロー３０に対して、カップ周方向の１８０度離れた位置に錘などの重量体を設けることが好ましい。重量体として、例えば、収容室１５に収容される添加剤を用いることができる。この場合、収容室１５を、容器軸Ｏを間に挟んで放出孔側と反放出孔側とに区画して、反放出孔側の空間に、前記添加剤を限定して収容することが好ましい。また重量体として、販売促進用の景品などを採用することも可能である。この場合、蓋付カップ容器１、２、３自体の浮力との関係により、浮力体６７を設けない構成とすることもできる。
【００６７】
また浮力体６７は、ストロー３０に限られない。例えば、浮力体６７として、接続部材３１をカップ径方向の外側から囲繞する浮き輪を採用することも可能である。この場合、カップ本体１１の底部に重量体を設けることで、蓋付カップ容器１、２、３を水中で正立姿勢にさせやすくすることができる。この場合、蓋付カップ容器１、２、３自体の浮力との関係により、浮力体６７を設けない構成とすることもできる。
【００６８】
また前記実施形態では、外側シール部５１や内側シール部５２が接続部材３１に設けられているが、本発明はこれに限られない。例えば、外側シール部５１や内側シール部５２が、フランジ部１２ａに設けられ、接続部材３１の上面に液密に当接するような構成を採用することも可能である。
【００６９】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００７０】
１、２、３  蓋付カップ容器
１１  カップ本体
１１ｃ  上端開口部
１２  蓋体
１２ａ  フランジ部
１２ｂ  下端開口部
１３  第１シール材
１５  収容室
１６  第２シール材
２３  貫通孔
３０  ストロー
３１  接続部材
３２  外筒部
３３  仕切り板
５１  外側シール部
５２  内側シール部
５５  内側環状溝
５６  外側環状溝
５８  内側空間
５９  第２連通孔
６０  第１連通孔
６１  内側仕切り壁（仕切り壁）
６２  放出孔
６３  放出通路
６４  閉塞部材
６６  袋体
６７  浮力体
７０  トラップ部
７１  凹部
【図１】
0006298750.tif 000002
【図２】
0006298750.tif 000003
【図３】
0006298750.tif 000004
【図４】
0006298750.tif 000005
【図５】
0006298750.tif 000006
【図６】
0006298750.tif 000007
【図７】
0006298750.tif 000008
【図８】
0006298750.tif 000009
【図９】
0006298750.tif 000010
【図１０】
0006298750.tif 000011